(57)【要約】【課題】  腕や足に装着して適宜の往復動を行うことにより、筋肉をほぐし、血行を促進し、リンパ液の流れを良好にさせることにある。【解決手段】  合成樹脂製繊維を伸縮自在に編み立てた織物を細長筒形状に形成したカバー体２内に、弾力性に富んだ球体３を収納してカバー体１の両端部を連結してリング形状とし、且つ球体３が収納されるカバー体１部分の編み立てを緩くすると共に、他の部分の編み立てを強くしたことを特徴とし、カバー体２内に複数の球体３を適宜間隔を開けて羅列収納する。【選択図】        図１
2005073793.tif 000002
【特許請求の範囲】
【請求項１】
合成樹脂製繊維を伸縮自在に編み立てた織物を細長筒形状に形成したカバー体（２）内に、弾力性に富んだ球体（３）を収納して前記カバー体（１）の両端部を連結してリング形状とし、且つ前記球体（３）が収納されるカバー体（１）部分の編み立てを緩くすると共に、他の部分の編み立てを強くしたことを特徴とするマッサージ具。
【請求項２】
カバー体（２）内に複数の球体（３）を適宜間隔を開けて羅列収納したことを特徴とする請求項１に記載のマッサージ具。
【発明の詳細な説明】
【技術分野】
【０００１】
本発明は、主として腕や足のリンパ液の流れを促進するために用いられるマッサージ具に関する。
【背景技術】
【０００２】
従来より、筋肉をほぐすため、血行を良くするため、各種のマッサージ具が提案されており、例えば以下の文献の如き発明の開示がある。
【特許文献１】特開平７−２９９１１５号公報
【０００３】
この発明は、可撓性・弾撥性を有する枠体に設けられた貫通孔に転動体を緩やかに嵌め込み、更にこの組み合わせ物を伸縮性を有するカバー体に収納し、或いは枠体と転動体とをゴム紐で連結した構成である。
【発明の開示】
【発明が解決しようとする課題】
【０００４】
ここでは、転動体を患部に押し当てて転がすことにより、筋肉をほぐし、血行を促進させようとしている。しかしながらいかに可撓性・弾撥性を有するとはいえ、枠体は板状であるから患部にぴったりと対応できる訳ではない。特に腕や足に対しては、単に局部的箇所だけでなく、腕なり足なりの夫々の全周を同時に刺激しながら、例えばリンパ節に向かってマッサージするのが有効とされ、上記した構成の発明ではこの操作は望めない。
【０００５】
よって本発明は、この従来の不満点を解消し要求に応えるべく発明されたマッサージ具であって、腕や足に装着して適宜の往復動を行うことにより、筋肉をほぐし、血行を促進し、リンパ液の流れを良好にさせることを目的とする。
【課題を解決するための手段】
【０００６】
上記課題を解決するため本発明のマッサージ具は、合成樹脂製繊維を伸縮自在に編み立てた織物を細長筒形状に形成したカバー体内に、弾力性に富んだ球体を収納して前記したカバー体の両端部を連結してリング形状とし、且つ前記した球体が収納されるカバー体部分の編み立てを緩くすると共に、他の部分の編み立てを強くしたことを特徴とする構成である。
【０００７】
この場合、カバー体内に複数の球体を適宜間隔を開けて羅列収納したことを特徴とする。
【発明の効果】
【０００８】
本発明のマッサージ具は上述したような構成であるので、カバー体は伸縮自在であるから腕や足に締め付けるようにして装着することができ、カバー体に収納された弾力性に富んだ球体は適度の強さで肌や筋肉を刺激することになる。
【０００９】
また、カバー体の編み立ては、球体が収納される部分を緩く、他の部分を強くしたので、球体がカバー体内で移動してしまうことはなく、患部に当てがった状態で位置ずれしてしまうことが少ない。
【００１０】
更にカバー体内に複数の球体を間隔を開けて羅列収納した構成では、腕や足に締め付けるようにして装着すると、腕等の中心に向かって複数の球体の圧力が作用して強く締め付けるので、転がしながら往復動させると筋肉をほぐして血行を促進させる。また、腕であればそのまま腋下のリンパ節まで、ふくらはぎであれば膝裏のリンパ節まで転がすことにより、老廃物をリンパ節に流し込むことができる等、多くの優れた作用効果を奏する。
【発明を実施するための最良の形態】
【００１１】
本発明のマッサージ具１にあって、カバー体２は、ポリエステル繊維、ポリウレタン繊維、ナイロン繊維により伸縮自在に編み立てた織物を細長筒形状に形成したもので、このカバー体２の内部に、合成ゴムによる弾力性に富んだ球体３を収納し、更にカバー体２の両端部を連結してリング形状に構成したものである。
【００１２】
球体３が収納されるカバー体２の包持部分４は、表糸、裏糸、ゴム糸の全ての編み立てを緩くし、他の部分である連結部分５では、表糸の編み立ては緩くするものの、裏糸とゴム糸の編み立てを強くして、連結部分５全体としての編み立てを強くする。
【００１３】
即ち、細長筒形状に形成したカバー体２のこの筒形状の内面に相当する部分は、ゴム糸をゴム編みして伸縮性の富んだものとし、且つ、包持部分４では編み立てを緩くすると共に連結部分５では編み立てを強くする。
【００１４】
また、カバー体２の筒形状の外面に相当する部分は、包持部分４では表糸と裏糸とを所謂パイル編みに緩く編み立てて表面をタオル地状に形成し、連結部分５では表糸と裏糸とを所謂平編みに強く編み立てて表面を円滑緊張面に形成する。
【００１５】
従って、緩く編み立てられた包持部分４に収納された球体３は、この包持部分４で或る程度自由に転動して患部を適宜に押圧することができ、しかも包持部分４の両側の連結部分５の編み立ては強いので、球体３が包持部分４から連結部分５に移行してずれてしまうことはない。
【００１６】
そして、カバー体２の包持部分４と連結部分５とを適宜間隔を開けて形成し、夫々の包持部分４内に球体３を収納する構成とすれば、複数の球体３がカバー体２内に適宜間隔を開けて羅列収納されることになり、しかも編み立ての強い連結部分５に規制されて球体３の位置ずれが防止されるので、腕や足を全周にわたって均等な力で押圧できることになる。
【実施例１】
【００１７】
図１（ａ）は、足の裏を刺激したり血行を促進させるのに最適の形態であり、カバー体２のリング形状を比較的小径に形成し、包持部分４に隣接した連結部分５にはシリコンゴム製の球状パーツ６がはめこまれている。
【００１８】
そこで足の甲にカバー体２を締め付け装着し、球体３部分が足の裏のつぼに当接するようにして踏み付ける等して往復動させることにより、足の裏を適宜刺激し、例えば座位姿勢でいることが多い人、歩行量の少ない人、底の硬い靴・ハイヒールやミュール・足先の細い靴等を履く人、足に障害のある人たちが罹り易い足の疲労を回復させることができる。
【実施例２】
【００１９】
図１（ｂ）は、上腕・下腕やふくらはぎの筋肉を刺激したり血行を促進させるのに最適の形態であり、カバー体２内に六個の球体３が等間隔に羅列され、或る連結部分５にはシリコンゴム製の球状パーツ６がはめこまれている。
【００２０】
そこで、例えば足のすねに球状パーツ６を位置させて上下動させると、筋肉をほぐすだけでなく、血行を促進し、リンパ液の流れを良くして老廃物を押出し、足や腕のむくみを取って疲労感を解消させるのである。
【図面の簡単な説明】
【００２１】
【図１】本発明のマッサージ具の正面図である。
【符号の説明】
【００２２】
１    マッサージ具
２    カバー体
３    球体
４    包持部分
５    連結部分
６    球状パーツ
【図１】
2005073793.tif 000003